(57)【特許請求の範囲】
【請求項１】
主索の下端が巻装される下部そらせシーブ及び巻上機が据え付けられ昇降路の下部に形成された機械室と、前記昇降路に仮設され前記主索の上部が巻装される上部そらせシーブ及び前記主索の端部が巻装されるロープ繰り出し機が設けられ前記主索を介してかごを吊り下げる移動滑車枠とを備えた工事用エレベータにおいて、前記移動滑車枠を前記上部そらせシーブを組み込むシーブ枠とこのシーブ枠に重ねられ前記ロープ繰り出し機を収納するロープ繰り出し枠とで構成し、工事終了後は前記ロープ繰り出し枠を前記昇降路から搬出し前記シーブ枠を前記昇降路の頂部に設置して商業運転するようにしたことを特徴とする工事用エレベータ。
【請求項２】
前記上部そらせシーブを固定する前記シーブ枠の固定部に長円穴を形成したことを特徴とする請求項１に記載の工事用エレベータ。
【請求項３】
前記上部そらせシーブの軸にピニオンとハンドルを挿入し、前記ピニオンが噛み合うラックを前記シーブ枠に設けたことを特徴とする請求項１に記載の工事用エレベータ。
【請求項４】
前記上部そらせシーブを前記シーブ枠に固定する取付枠の片側の取付部に軸支部を設け、この軸支部を軸に揺動自在の前記取付枠の他側を前記シーブ枠に固定する弧状の固定部を前記シーブ枠に設けたことを特徴とする請求項１に記載の工事用エレベータ。
【請求項５】
前記上部そらせシーブを前記シーブ枠に固定する取付枠の両端が固定される前記シーブ枠の取付部に長穴を形成したことを特徴とする請求項１に記載の工事用エレベータ。
【請求項６】
前記シーブ枠を前記昇降路に受け枠を介して仮設する横枠の上部に凸部を設け、この凸部が遊嵌する嵌合案内部を前記シーブ枠に形成したことを特徴とする請求項１に記載の工事用エレベータ。
【請求項７】
前記シーブ枠に回転軸を貫設し、この回転軸にピニオンとハンドルを挿入し、前記ピニオンが噛み合うラックを前記横梁に設けたことを特徴とする請求項６に記載の工事用エレベータ。
【請求項８】
前記横枠と前記シーブ枠の対向部の中心部に回転連結部を設けたことを特徴とする請求項１に記載の工事用エレベータ。
【発明の詳細な説明】
【０００１】
【発明の属する技術分野】
本発明は、工事用エレベータに関する。
【０００２】
【従来の技術】
図12は、従来の工事用のエレベータの一例を示す縦断面図で、ベースメントタイプの場合である。
この工事用エレベータは、ビルの建築工事が下層階から上層階に進行するに従って、移動滑車枠とこの移動滑車枠に吊り下げられたかごを建築中の最上階に設置したタワークレーンで段階的に２〜３階床分の高さに吊り上げる。
【０００３】
図12において、工事用のビルに形成された昇降路７のピット７ａの右側に形成された機械室７ｂの床面には、巻上機８が設置され、この巻上機８の右側には、制御盤９が設置されている。
【０００４】
機械室７ｂの昇降路側には、そらせシーブ２Ａ，２Ｂが上下に設置されている。ピット７ａには、図示しない油圧緩衝器が立設されている。昇降路７の左側には、複数階の乗場の敷居が示されている。
【０００５】
昇降路７には、６階の乗場の位置に対して、一対の受けビーム40が架設され、この受けビーム40の上面に固定されたアウトリガ28の更に上に移動滑車枠１Ｂが載置固定されている。
【０００６】
この移動滑車枠１Ｂには、上部の右側にそらせシーブ２Ｃが、この左側にそらせシーブ２Ｄが組み込まれ、下部の右側にそらせシーブ２Ｅが、下部の左側にそらせシーブ２Ｆが組み込まれている。さらに、図示しない調速機も設置されている。移動滑車枠１Ｂの下梁には、主索固定棒18が縦に貫設されている。
【０００７】
移動滑車枠１Ｂの上梁には、円筒部の外周に主索３の端部を巻き付けられた電動機付のロープ繰り出し機４が取付脚を介して下面に固定されている。
移動滑車枠１Ｂの中間梁には、主索３が数回巻き付けられるドラムとロープ把持部を備えたロープ保持機５が固定されている。
【０００８】
かご11の上梁には、かごシーブ20が取り付けられている。ロープ繰り出し機４のドラム４ａから垂下した主索３は、ロープ保持機５のドラムに３回巻き付けられ、昇降路７を垂下してかごシーブ20に巻装された後上昇し、そらせシーブ２Ｄからそらせシーブ２Ｃを経て昇降路７の右側を垂下している。
【０００９】
この主索３は、機械室７ｂのそらせシーブ２Ａと巻上機８のシーブと左側のそらせシーブ２Ｂを経て昇降路７を立ち上がり、移動滑車枠１Ｂのそらせシーブ２Ｅ，２Ｆに巻装された後昇降路７を垂下し、シーブ19を介して、下端につり合いおもり21が吊り下げられている。このつり合いおもり21の下部は、ピット７ａに立設された支え棒23で支持されている。
【００１０】
このように構成された工事用エレベータにおいては、ビルの工事の進行に従い、チェーンブロック22でかご11を移動滑車枠１Ｂに吊り下げるとともに、前述したタワークレーン24で移動滑車枠１Ｂが２〜３階分持ち上げられる。
【００１１】
そのときには、移動滑車枠１Ｂの上昇に必要な長さだけ、ロープ繰り出し機４から主索が繰り出される。移動滑車枠１Ｂとともに持ち上げられたかご11は、ビルの内装用資材などの運搬用や作業員の昇降用として巻上機８で運転される。
【００１２】
図13は、図12で示した移動滑車枠１Ｂが昇降路の受けビーム40に載置され固定された状態を示す部分斜視図である。
図13において、昇降路を水平に貫通した一対の受けビーム40に対して、一対のアウトリガ28が受けビーム40に直交方向に載置されている。
【００１３】
これらのアウトリガ28は、角管28ａとこの角管28ａに両側から挿入されたビーム28ｂで構成され、内側のビーム28ｂの外側の端部を角管28ａの端部から突き出した状態で用いられる。
【００１４】
移動滑車枠１Ｂは、溝形鋼から製作された４本の下梁１ａを突き合わせ溶接した各４隅に対して、縦梁１ｂが立設され、これらの縦梁１ｂの中間部に対して中梁が図12で示すように横設され、上端に上梁が溶接されている。
【００１５】
図14は、図13で示した移動滑車枠１Ｂに組み込まれたそらせシーブ２Ｅ，２Ｆを示す斜視図である。
図14において、左右の下梁１ａの上面には、溝形鋼から製作された一対の取付枠16Ｃが載置され両端を下梁１ａにボルトで固定されている。これらの取付枠16Ｃの上面には、同じく溝形鋼から製作された支え梁45がそれぞれ載置されボルトで固定されている。
【００１６】
これらの支え梁45には、そらせシーブ２Ｅ，２Ｆが図示しない軸受を介して支えられている。
移動滑車枠１Ｂを上層側の受けビーム40に移動する場合には、アウトリガ28は、内部のビーム28ｂを退避させた状態でタワークレーンで持ち上げられる。
【００１７】
ところで、このように構成された工事用エレベータでは、建築工事が完了して商業運転用の巻上機を昇降路の最上部の機械室に設置する場合には、工事用として使用したそらせシーブなどを流用するときがある。
【００１８】
【発明が解決しようとする課題】
ところが、従来の工事用エレベータにおいては、商業運転用として使用する、例えばそらせシーブを巻上機や移動滑車枠から取り外すために時間がかかるだけでなく、取り外したそらせシーブの取付枠の搬出にも時間がかかる。
【００１９】
また、そらせシーブの取付部分が、巻上機と共通の枠となっていた場合には、取外した後の取付部分の占める空間で、保守・点検作業の作業性が低下するおそれもある。
そこで、本発明の目的は、工事用エレベータから商業用エレベータの切替作業を容易に行うことのできる工事用エレベータを得ることである。
【００２０】
【課題を解決するための手段】
請求項１に対応する発明は、主索の下端が巻装される下部そらせシーブ及び巻上機が据え付けられ昇降路の下部に形成された機械室と、昇降路に仮設され主索の上部が巻装される上部そらせシーブ及び主索の端部が巻装されるロープ繰り出し機が設けられ主索を介してかごを吊り下げる移動滑車枠とを備えた工事用エレベータにおいて、上部そらせシーブを組み込むシーブ枠とロープ繰り出し機を収納するロープ繰り出し枠とで移動滑車枠を構成し、工事終了後は前記ロープ繰り出し枠を前記昇降路から搬出し前記シーブ枠を前記昇降路の頂部に設置して商業運転するようにしたことを特徴とする。
【００２１】
請求項２に対応する発明の工事用エレベータは、上部そらせシーブを固定するシーブ枠の固定部に長円穴を形成したことを特徴とし、請求項３に対応する発明の工事用エレベータは、上部そらせシーブの軸にピニオンとハンドルを挿入し、ピニオンが噛み合うラックをシーブ枠に設けたことを特徴とする。
【００２２】
請求項４に対応する発明の工事用エレベータは、上部そらせシーブをシーブ枠に固定する取付枠の片側の取付部に軸支部を設け、この軸支部を軸に揺動自在の取付枠の他側をシーブ枠に固定する弧状の固定部をシーブ枠に設けたことを特徴とする。
【００２３】
請求項５に対応する発明の工事用エレベータは、上部そらせシーブをシーブ枠に固定する取付枠の両端が固定されるシーブ枠の取付部に長穴を形成したことを特徴とする。
【００２４】
請求項６に対応する発明の工事用エレベータは、シーブ枠を昇降路に受け枠を介して仮設する横枠の上部に凸部を設け、この凸部が遊嵌する嵌合案内部をシーブ枠に形成したことを特徴とする。
【００２５】
請求項７に対応する発明の工事用エレベータは、シーブ枠に回転軸を貫設し、この回転軸にピニオンとハンドルを挿入し、ピニオンが噛み合うラックを横梁に設けたことを特徴とする。
さらに、特に請求項８に対応する発明の工事用エレベータは、横枠とシーブ枠の対向部の中心部に回転連結部を設けたことを特徴とする。
【００２６】
このような手段によって、請求項１に対応する発明においては、工事が完了した昇降路の頂部にシーブ枠を設置して、頂部機械室を形成し、特に請求項２に対応する発明では、かごやつり合いおもりとの関係位置に応じて、シーブの位置を長円穴で調整する。
【００２７】
また、請求項３に対応する発明では、かごやつり合いおもりとの関係位置の調整作業をハンドルで回転するピニオンが噛み合うラックによって容易にし、請求項４に対応する発明では、かごやつり合いおもりとの関係角度によって、軸支部を軸に上部そらせシーブの角度を調整する。
【００２８】
また、請求項５に対応する発明では、かごやつり合いおもりとの関係位置の調整作業をシーブ枠の長円穴によって容易とし、請求項６に対応する発明では、凸部と案内嵌合部によって横枠を移動させて、受け枠への取付作業を容易にする。
【００２９】
さらに、請求項７に対応する発明では、ピニオンとラックによって横枠の移動を更に容易にし、請求項８に対応する発明では、かごやつり合いおもりに対するシーブ枠の関係角度の調整を回転連結部によって容易にする。
【００３０】
【発明の実施の形態】
以下、本発明の工事用エレベータの一実施形態を図面を参照して説明する。
図１は、本発明の工事用エレベータの第１の実施形態を示す縦断面図で、従来の技術で示した図12に対応し、請求項１に対応する図である。
【００３１】
図１において、従来の技術で示した図12と異なるところは、移動滑車枠と巻上機の構成で、そらせシーブなどの機器の配置は図12と同一である。
すなわち、移動滑車枠１Ａは、下側の下部枠６Ａとこの下部枠６Ａに載置されこの下部枠６Ａと平面形状が同一の上部枠６Ｂで構成されている。
【００３２】
このうち、下部枠６Ａに対して、そらせシーブ２Ｃ，２Ｄ，２Ｅ，２Ｆが図12と同様に上下左右に配置され、この下部枠６Ａの下梁の中央部に対して、図示しない圧縮コイルばねが挿入された主索固定棒18が縦に貫設されている。
【００３３】
上部枠６Ｂは、この上部枠６Ｂの下梁が下部枠６Ａの各四隅にボルトで固定され、この上部枠６Ｂの上梁の左側の下面に対して、ロープ繰り出し機４が取り付けられ、上部枠６Ｂの下梁の左端の上面にロープ保持機５が固定されている。
【００３４】
昇降路７のピット７ａの右側に形成された機械室７ｂに設置される巻上機８と制御盤９は、形鋼から製作された巻上機枠10に収納されている。
この巻上機枠10の左側面には、この巻上機枠10と比べて幅が狭く奥行が浅いシーブユニット12がボルトで連結され、このシーブユニット12の内部にそらせシーブ２Ａ，２Ｂが上下に収納されている。
【００３５】
このように構成された工事用エレベータにおいて、建物の工事の進捗に従い、移動滑車枠１Ａを上層階に移動させる場合には、チェーンブロック22でかご11を吊り下げた状態でロープ繰り出し機４から主索を繰り出す。
【００３６】
工事用の資材を運搬する場合には、チェーンブロック22の下端をかご11の上梁から外してかごを運転し、上層階へ移動滑車枠１Ａを移動させる度に、チェーンブロック22の取付と取り外し及び主索の繰り出しを繰り返す。
【００３７】
建物の工事が最上階に達して、昇降路７の上端に形成された頂部機械室にそらせシーブ２Ｃ，２Ｄ，２Ｅ，２Ｆを移動する場合には、かご11をチェーンブロック22で吊り下げた状態で、ロープ繰り出し機４から繰り出されロープ保持機５のドラムから出た部分の主索を切断し、主索固定棒18Ａに接続して、図２で示すように下部枠６Ａの下梁に固定する。
【００３８】
この状態で、上部枠６Ｂを下部枠６Ａに固定しているボルトを外し、タワークレーン24で上部枠６Ｂを吊り上げて昇降路７から搬出する。
次に、タワークレーン24で下部枠６Ａを図２で示す頂部機械室13まで持ち上げ、図２に示すようにアウトリガ28を介して設置する。
【００３９】
このように構成された工事用エレベータでは、下部枠６Ａをベースメントタイプの昇降路の頂部機械室13にそのまま移設することで、昇降路の駆動部分の配置工事を完了することができるので、商業運転への移行のための工期を短縮することができる。
【００４０】
図３は、図１で示したそらせシーブ２Ｅ，２Ｆのユニットの一例を示す拡大詳細斜視図で請求項２に対応する図である。
図３において、このシーブユニット15Ａは、図１で示した下部枠６Ａの下梁にボルトで固定される溝形鋼製の一対の取付枠16Ａの上側の刃に対して、一対の長円穴16ａがあらかじめ加工されている。
【００４１】
各取付枠16Ａの上面には、同じく溝形鋼から製作された一対の支え17が刃を外向きにして対称的に載置され、ボルトで各取付枠16Ａに固定されている。
前後で対となる支え17には、そらせシーブ２Ｅ，２Ｆの軸が図示しない軸受と軸受座金及び軸受ナットを介してあらかじめ貫挿されている。
【００４２】
このようにシーブユニットが構成された工事用エレベータにおいては、昇降路７の横断面の形状やかごとつり合いおもりの定格によって、異なる仕様のエレベータにも、左右のそらせシーブ２Ｅ，２Ｆの間隔を調整することで容易に対応することができる。
【００４３】
なお、このシーブユニット15Ａは、取付枠16Ａの長さを変えることによって、図１で示した上部のそらせシーブ２Ｃ，２Ｄを組み込むシーブユニットにも適用することができる。
【００４４】
図４は、本発明の工事用エレベータの第２の実施形態を示す拡大詳細斜視図で、図３に対応し、請求項３に対応する図である。
図４において、前述した図３で示したシーブユニット15Ａと異なるところは、左右のそらせシーブ２Ｅ，２Ｆの間隔の調整構造である。
【００４５】
すなわち、このシーブユニット15Ｂの一対の取付枠16Ａのうち、前方の取付枠16Ａには、ラック37が載置され両端が取付枠16Ａに固定されている。
シーブ軸２ａには、ピニオン歯車39が図示しないキーを介して圧入され、シーブ軸２ａの前端には、ハンドル25がキーを介して挿入され、図示しない軸受座金と軸受ナットを介して締め付けられている。
【００４６】
このように構成されたシーブユニットにおいては、左右のそらせシーブ２Ｅ，２Ｆの間隔を調整する場合には、支え17を取付枠16Ａに固定しているボルトを緩め、ハンドル25でピニオン歯車24を回転させる。
所定の間隔に調整すると、左右の支え17の間にターンバックルの調整棒を挿入して、支え17を取付枠16Ａに固定するボルトを締め付ける。
【００４７】
図５は、本発明の工事用エレベータの第３の実施形態を示す部分拡大斜視図で、前述した図３及び図４に対応し請求項４に対応する図である。
図５において、前述した実施形態で示した図３及び図４と異なるところは、シーブユニット15Ｃを片側の軸を軸として他側を揺動可能として取付角度を調整自在としたことである。
【００４８】
すなわち、一対の取付枠16Ｂは、両端の対向面の下端が平板26で溶接されていて、一体となっている。
この取付枠16Ｂが載置される下部枠の下梁６ａには、左側の平板26の中心部に形成されたボルト穴と対向する位置にボルト穴６ａが加工されている。
【００４９】
一方、右側の平板26の中心にもボルト穴26ｂが加工され、右側の下梁６ｂの上部には、左右のボルト穴26ａ、26ｂを半径とする弧状の溝１ｃが加工されている。
【００５０】
このように構成されたシーブユニット15Ｃにおいては、下部枠に組み込む場合には、取付枠16Ｂの右端は、溝１ｃの中心に位置するように仮組立され、つり合いおもりが組み込まれた後に、このつり合いおもりの取付位置に合わせて調整される。
【００５１】
図６は、本発明の工事用エレベータの第４の実施形態を示す部分拡大斜視図で、特に、図５に対応し、請求項５に対応する図である。
図６において、図５と異なるところは、取付枠16Ｃの下梁への固定構造で、前後方向に調整可能としたことである。
【００５２】
すなわち、前後の取付枠16Ｃは、短い固定枠27に両端があらかじめ溶接されている。これらの固定枠27には、下側の刃に対して一対のボルト穴が加工されている。
【００５３】
下梁６ａ，６ｂには、固定枠27の長さと比べて長い溝が加工されている。
このように構成されたシーブユニット15Ｄにおいては、このシーブユニット15Ｄの下部枠への取付位置の調整を前後方向に行うことができる。
【００５４】
なお、前後の取付枠16Ｃの左右に対して、図５で示した平板26を溶接し、左側の中心部を左側の固定枠27に段付きねじ付ピンで軸支し、右側の固定枠27の上側の刃には、図５で示した弧状の溝を形成して、シーブユニット15Ｄの右側を図５と同様に弧状に調整可能にしてもよい。
【００５５】
図７は、本発明の工事用エレベータの第４の実施形態を示す縦断面図で、請求項１の他の実施例に対応し、前述した第１の実施形態で示した図２に対応する図である。
【００５６】
図７において、前述した第１の実施形態で示した図２と異なるところは、図２で示したエレベータが昇降路の下部に巻上機を設置したベースメントタイプであったのに対し、昇降路の頂部に巻上機を備えた場合である。
【００５７】
すなわち、図７で示したエレベータでは、図１で示した昇降路７の下部の機械室７ｂに設置された巻上機ユニット10が、昇降路７の上部に形成された機械室13に以下説明するように据え付けられている。
【００５８】
この場合には、図１で示したかご11は、チェーンブロック22でアウトリガ39に仮吊りされ、主索３がロープ繰り出し機４，ロープ保持機５及び各そらせシーブ２Ａ，２Ｂ，２Ｃ，２Ｄ，２Ｅと巻上機８から取り外される。
【００５９】
この状態で上部枠６Ｂがタワークレーン24で図２で説明した手順で建物から取り外され、続いて下部枠６Ａとシーブユニット12も同様に取り外される。
次に、巻上機ユニット10が機械室７ｂの入口から搬出され、タワークレーン24で吊り上げられて昇降路７の上端の機械室13に搬入され据え付けられる。
【００６０】
短い主索３が巻上機８のつり車とそらせシーブ14を介して吊り下げられ、片側の下端にはかご11が接続され、他側の下端にはつり合いおもり21が吊り下げられる。
【００６１】
この場合にも、巻上機ユニット10を製作工場から搬入することなく、建築工事の進捗状況の変化に即応して、下部の機械室７ｂから上部の機械室13に移設することで、たとえ建築工事の進度が変った場合でも、それに容易に対応することができる。
【００６２】
次に、図８は、本発明の工事用エレベータの第５の実施形態を示す部分拡大斜視図で、請求項６に対応する図である。
図８は、アウトリガの位置を建築物側の受けビームに合わせるための構成を示し、移動滑車枠の下梁６ａ，６ｂには、下側の刃に対して溝が形成されている。
【００６３】
一方、アウトリガ28の両側の上面には、下梁６ａ，６ｂに形成された溝に遊嵌する案内片29が溶接で突設されている。アウトリガ28の端部の両側には、下梁６ａ，６ｂに固定された一対のストッパクリップ30が示されている。
【００６４】
このようにアウトリガ28が構成された工事用エレベータにおいては、アウトリガ28に収納されたビーム28ｂの両側に形成された取付穴の位置を受けビームに形成された取付穴の位置を合わせる場合には、ストッパクリップ30を外した状態でアウトリガ28の間隔と位置を調整する。
【００６５】
図９は、本発明の工事用エレベータの第６の実施形態を示す部分拡大斜視図で、前述した実施形態で示した図８に対応し、請求項７に対応する図である。
図９において、第５の実施形態で示した図８と異なるところは、アウトリガの間隔の調整をハンドルとギヤーで微調整可能としたことである。
また、図10（ａ）は図９のＡ矢視拡大図、図10（ｂ）は（ａ）のＢ−Ｂ断面図である。
【００６６】
図９及び図10において、下梁６ａの溝側には、軸板31の上下が図10に示すように溶接されている。この軸板31の中心には、軸穴が形成され、この軸穴には環状の軸受押え33Ａが挿入され、４本のボルトで軸板31に固定されている。
【００６７】
下梁６ｂにも、軸板31に形成された軸穴と同形の軸穴が同一軸心線上に形成され、この軸穴にも軸受押え33Ａと同一品の軸受押え33Ｂが対称的に挿入されボルトで固定されている。
【００６８】
これらの軸受押え33Ａ，33Ｂには軸32が挿入され、軸受34Ａ，34Ｂを介して軸受押え33Ａ，33Ｂに支えられている。
この軸32の左端には、ハンドル25がキーを介して圧入され、軸受座金と軸受ナット38Ａを介して軸32に固定されている。
【００６９】
軸32の右端には、ピニオンギアー39がキーを介して圧入され、軸受座金と軸受ナット38Ｂを介して軸32に固定されている。
一方、アウトリガ28の上端の左右には、受け板38の基端が溶接され、この受け板38の後部の両側には、めねじ穴が加工されている。
【００７０】
図10（ｂ）においては、図８に示した案内片29がアアウトリガ28の上面に示されている。なお、図９においてアウトリガ28の右側にも、同様なラック37やピニオンギア39が対称的に取り付けられている。
【００７１】
このように構成された工事用エレベータにおいては、アウトリガ28の間隔を受けビームの取付穴に合わせる場合には、ハンドル25を時計方向又は反時計方向に回転させることで、ピニオンギア39を介して一対のアウトリガ28の間隔を調整する。
この場合には、微小な調整を容易に行うことができる。
【００７２】
図11は、本発明の工事用エレベータの第７の実施形態を示す斜視図で、前述した実施形態で示した図８及び図９に対応し、請求項８に対応する図である。
【００７３】
図11においては、移動滑車枠を構成する下梁の枠組部分をアウトリガに対して回転可能に載置したことである。
【００７４】
すなわち、一対のアウトリガ28の上面には、ビーム41Ａが中央部に架設され、固定されている。
このビーム41Ａの中央部には、高荷重用のスラスト軸受42が載置され固定されている。このスラスト軸受42の中心には、図示しない軸が縦貫している。
【００７５】
一方、下梁６ａ，６ｂの中央部の間にもビーム41Ｂが架設され、スラスト軸受42を介して下梁６ａ，６ｂで構成する枠組部に載置されている。
アウトリガ28の両端の上面には、スラスト軸受42の厚みに対応するスペーサ44が正方形の角となる部分に対してあらかじめ挿入され、下梁６ａ，６ｂに固定されている。
【００７６】
このように構成された工事用エレベータにおいては、下梁６ａ，６ｂとアウトリガ28との対置関係を90°ピッチに変えることができるので、建物の設計上の都合などで受けビームの方向が異なる昇降路にも適用することができる。
【００７７】
【発明の効果】
以上、請求項１に対応する発明によれば、上部そらせシーブを組み込むシーブ枠とロープ繰り出し機を収納するロープ繰り出し枠とで移動滑車枠を構成し、工事終了後は昇降路の頂部にシーブ枠を設置するので、工事用エレベータから商業用エレベータへの切替作業を容易に行うことのできる工事用エレベータを得ることができる。
【００７８】
請求項２に対応する発明によれば、上部そらせシーブを固定するシーブ枠の固定部に長円穴を形成することで、かごやつり合いおもりとの関係位置に応じて、シーブの位置を長円穴で調整したので、工事用エレベータから商業用エレベータの切替作業を容易に行うことのできる工事用エレベータを得ることができる。
【００７９】
請求項３に対応する発明によれば、上部そらせシーブの軸にピニオンとハンドルを挿入し、ピニオンが噛み合うラックをシーブ枠に設けることで、かごやつり合いおもりとの関係位置の調整作業をハンドルで回転するピニオンが噛み合うラックによって容易にしたので、工事用エレベータから商業用エレベータの切替作業を容易に行うことのできる工事用エレベータを得ることができる。
【００８０】
請求項４に対応する発明によれば、上部そらせシーブをシーブ枠に固定する取付枠の片側の取付部に軸支部を設け、この軸支部を軸に揺動自在の取付枠の他側をシーブ枠に固定する弧状の固定部をシーブ枠に設けることで、かごやつり合いおもりとの関係角度によって、軸支部を軸に上部そらせシーブに角度を調整したので、工事用エレベータから商業用エレベータの切替作業を容易に行うことのできる工事用エレベータを得ることができる。
【００８１】
請求項５に対応する発明によれば、上部そらせシーブをシーブ枠に固定する取付枠の両端が固定されるシーブ枠の取付部に長穴を形成することで、かごやつり合いおもりとの関係位置の調整作業をシーブ枠の長円穴によって容易としたので、工事用エレベータから商業用エレベータの切替作業を容易に行うことのできる工事用エレベータを得ることができる。
【００８２】
請求項６に対応する発明によれば、シーブ枠を昇降路に受け枠を介して仮設する横枠の上部に凸部を設け、この凸部が遊嵌する嵌合案内部をシーブ枠に形成することで、凸部を案内嵌合部によって横枠を移動させて、受け枠への取付作業を容易にしたので、工事用エレベータから商業用エレベータの切替作業を容易に行うことのできる工事用エレベータを得ることができる。
【００８３】
請求項７に対応する発明によれば、シーブ枠に回転軸を貫設し、この回転軸にピニオンとハンドルを挿入し、ピニオンが噛み合うラックを横梁に設けることで、ピニオンラックによって横枠の移動を更に容易にしたので、工事用エレベータから商業用エレベータの切替作業を容易に行うことのできる工事用エレベータを得ることができる。
【００８４】
さらに、特に請求項８に対応する発明によれば、横枠とシーブ枠の対向部の中心部に回転連結部を設けることで、かごやつり合いおもりに対するシーブ枠の関係角度の調整を回転連結部によって容易にしたので、工事用エレベータから商業用エレベータの切替作業を容易に行うことのできる工事用エレベータを得ることができる。
【図面の簡単な説明】
【図１】本発明の工事用エレベータの第１の実施形態を示す縦断面図。
【図２】本発明の工事用エレベータの第１の実施形態の作用を示す縦断面図。
【図３】本発明の工事用エレベータの第２の実施形態を示す部分拡大斜視図。
【図４】本発明の工事用エレベータの第３の実施形態を示す部分拡大斜視図。
【図５】本発明の工事用エレベータの第４の実施形態を示す部分拡大斜視図。
【図６】本発明の工事用エレベータの第５の実施形態を示す部分拡大斜視図。
【図７】本発明の工事用エレベータの図２と異なる作用を示す縦断面図。
【図８】本発明の工事用エレベータの第６の実施形態を示す部分拡大斜視図。
【図９】本発明の工事用エレベータの第７の実施形態を示す部分拡大斜視図。
【図１０】（ａ）は図９のＡ矢視拡大詳細図、（ｂ）は（ａ）のＢ−Ｂ断面図。
【図１１】本発明の工事用エレベータの第８の実施形態を示す部分拡大斜視図。
【図１２】従来の工事用エレベータの一例を示す縦断面図。
【図１３】図12の部分拡大詳細斜視図。
【図１４】図13と異なる図12の部分拡大詳細斜視図。
【符号の説明】
１Ａ…移動滑車枠、２Ａ，２Ｂ，２Ｃ，２Ｄ，２Ｅ，２Ｆ…そらせシーブ、３…主索、４…ロープ繰り出し機、５…ロープ保持機、６Ａ…下部枠、６Ｂ…上部枠、７…昇降路、７ｂ…機械室、８…巻上機、９…制御盤、10…巻上機枠、11…かご、12…シーブユニット、13…頂部機械室、15Ａ，15Ｂ，15Ｃ，15Ｄ…シーブユニット、16Ａ，16Ｂ，16Ｃ…取付枠、17…支え、18…主索固定棒、19…シーブ、20…かごシーブ、21…つり合いおもり、22…チェーンブロック、23…支え棒、24…タワークレーン、25…ハンドル、26…平板、27…固定枠、28…アウトリガ、29…案内片、30…ストッパクリップ、31…軸板、32…軸、33Ａ、33Ｂ…軸受押え、34Ａ，34Ｂ…軸受、35Ａ，35Ｂ…キー、36…受け板、37…ラック、38Ａ，38Ｂ…軸受ナット、39…ピニオン歯車。
【図１】
0004039732.tif 000002
【図２】
0004039732.tif 000003
【図３】
0004039732.tif 000004
【図４】
0004039732.tif 000005
【図５】
0004039732.tif 000006
【図６】
0004039732.tif 000007
【図７】
0004039732.tif 000008
【図８】
0004039732.tif 000009
【図９】
0004039732.tif 000010
【図１０】
0004039732.tif 000011
【図１１】
0004039732.tif 000012
【図１２】
0004039732.tif 000013
【図１３】
0004039732.tif 000014
【図１４】
0004039732.tif 000015